(57)【要約】【課題】  熱ポンプシステムと床暖房システムとを備える複合冷暖房システムを提供することである。【解決手段】  熱ポンプシステムは、自然冷媒として二酸化炭素を使用し、冷媒管で連結された圧縮器、四方弁、室内熱交換器、膨脹装置、室外熱交換器、及び複数の給湯用熱交換器を備える。床暖房システムは、暖房水を循環させるための暖房水供給管と暖房水の流れを調節するための暖房水調節弁とを備える。【選択図】  図１
2005195313.tif 000002
【特許請求の範囲】
【請求項１】
暖房と冷房を行うための圧縮器、四方弁、室内熱交換器、室外熱交換器、膨脹装置及び給湯用熱交換器を冷媒管で連結する熱ポンプシステムと、
室内空間を暖房するための暖房水を循環させるための暖房水供給管と暖房水の流れを調節するための暖房水調節弁とを備える床暖房システムと、を含み、
前記給湯用熱交換器で暖房水を加熱できるように前記暖房水供給管を前記給湯用熱交換器に連結したことを特徴とする複合冷暖房システム。
【請求項２】
前記熱ポンプシステムは、自然冷媒を利用することを特徴とする請求項１に記載の複合冷暖房システム。
【請求項３】
前記自然冷媒は、二酸化炭素であることを特徴とする請求項２に記載の複合冷暖房システム。
【請求項４】
前記給湯用熱交換器は、前記圧縮器の吐出側と前記四方弁との間に連結される第１給湯用熱交換器を含むことを特徴とする請求項１に記載の複合冷暖房システム。
【請求項５】
前記給湯用熱交換器は、前記四方弁と前記膨脹装置との間に連結される第２給湯用熱交換器をさらに含むことを特徴とする請求項４に記載の複合冷暖房システム。
【請求項６】
前記熱ポンプシステムは、前記四方弁と前記第２給湯用熱交換器との間に連結される第１三方弁をさらに含むことを特徴とする請求項５に記載の複合冷暖房システム。
【請求項７】
前記第１三方弁は、前記第２給湯用熱交換器で加熱操作を行うことができるように冷媒の流れを案内することを特徴とする請求項６に記載の複合冷暖房システム。
【請求項８】
前記熱ポンプシステムは、前記室内熱交換器と前記膨脹装置との間に連結される第２三方弁をさらに含むことを特徴とする請求項６に記載の複合冷暖房システム。
【請求項９】
前記第２三方弁は、前記室内熱交換器で室内の空気暖房または冷房を行うことができるように冷媒の流れを案内することを特徴とする請求項８に記載の複合冷暖房システム。
【請求項１０】
前記熱ポンプシステムは、前記室外熱交換器と前記膨脹装置との間に連結される第３三方弁をさらに含むことを特徴とする請求項６に記載の複合冷暖房システム。
【請求項１１】
前記第３三方弁は、前記室内熱交換器で熱交換された空気を利用した室内の空気暖房及び／または前記暖房水を利用した室内の床暖房を行うことができるように冷媒の流れを案内することを特徴とする請求項１０に記載の複合冷暖房システム。
【請求項１２】
前記第３三方弁は、前記室内熱交換器で熱交換された空気を利用して室内の空気冷房を行う場合、前記膨脹装置を通過した冷媒を前記室内熱交換器に案内することを特徴とする請求項１０に記載の複合冷暖房システム。
【請求項１３】
前記熱ポンプシステムは、前記四方弁と前記室外熱交換器との間に設置される第１開閉弁をさらに含むことを特徴とする請求項６に記載の複合冷暖房システム。
【請求項１４】
室内の空気冷房と室内の床暖房または温水供給を行う場合、前記第１開閉弁は、充分な温水供給のために冷媒が前記室外熱交換器を通過することなく直接前記第２給湯用熱交換器に流れるように案内することを特徴とする請求項１３に記載の複合冷暖房システム。
【請求項１５】
前記床暖房システムは、前記給湯用熱交換器で加熱された暖房水を再加熱するためのボイラをさらに含むことを特徴とする請求項１に記載の複合冷暖房システム。
【請求項１６】
前記ボイラは、前記暖房水供給管から分岐されるバイパス管に設けられることを特徴とする請求項１５に記載の複合冷暖房システム。
【請求項１７】
前記床暖房システムは、蓄熱槽及び温水供給管をさらに含むことを特徴とする請求項１５に記載の複合冷暖房システム。
【請求項１８】
前記蓄熱槽は、前記給湯用熱交換器と前記ボイラとの間に設けられ、前記給湯用熱交換器で加熱された暖房水または前記ボイラにより再加熱された暖房水と熱交換して温水を作り、前記温水供給管は、温水を供給することを特徴とする請求項１７に記載の複合冷暖房システム。
【請求項１９】
前記床暖房システムは、前記蓄熱槽の出口に連結されたポンプをさらに含むことを特徴とする請求項１７に記載の複合冷暖房システム。
【請求項２０】
前記ポンプは、前記蓄熱槽で熱交換された暖房水を前記ボイラの入口または前記室内空間の入口に案内することを特徴とする請求項１９に記載の複合冷暖房システム。
【請求項２１】
前記蓄熱槽に環収される暖房水の流れを制御するために前記室内空間の出口側の暖房水供給管に設けられる第２開閉弁をさらに含むことを特徴とする請求項１７に記載の複合冷暖房システム。
【請求項２２】
前記床暖房システムは、冷水を供給するための冷水供給管をさらに含み、前記冷水を加熱し暖房水が作られるように前記冷水供給管を前記給湯用熱交換器に連結することを特徴とする請求項１７に記載の複合冷暖房システム。
【請求項２３】
前記給湯用熱交換器で作られた暖房水を暖房水供給管に案内するための第３開閉弁をさらに含むことを特徴とする請求項２２に記載の複合冷暖房システム。
【発明の詳細な説明】
【技術分野】
【０００１】
本発明は、自然冷媒を利用して室内の空気冷房と暖房を行う熱ポンプシステムと、暖房水を利用して室内の床暖房を行う床暖房システムとを備えた複合冷暖房システムに関する。
【背景技術】
【０００２】
熱ポンプシステムとは、圧縮器から吐出される高温高圧の冷媒の流れを切り換えて室内空間を冷房又は暖房する空気調和装置のことをいう。
【０００３】
かかる熱ポンプシステムでは、冷房運転時には室内熱交換器が蒸発器の役割を果たし、暖房運転時には室内熱交換器が凝縮器の役割を果たすようになっている。
【０００４】
しかし、既存の熱ポンプシステムでは、室外温度の低い酷寒期に暖房運転する場合、暖房容量が足りなくなるという問題があった。
【０００５】
また、既存の熱ポンプシステムではフレオン冷媒が使用されてきた。しかし、このフレオン冷媒は、効率はよいものの、大気に晒される場合、オゾン層破壊と地球温暖化などの環境問題を引き起こすという問題を抱えている。
【発明の開示】
【発明が解決しようとする課題】
【０００６】
本発明は、上記の問題点に鑑みてなされたものであり、その目的は、室内空間について熱ポンプシステムを使って室内空気を暖房するとともに、床暖房システムを使って室内の床を暖房できるようにした複合冷暖房システムを提供することにある。
【０００７】
本発明の他の目的は、熱ポンプシステムで使用する冷媒を自然冷媒とすることによってオゾン層破壊と地球温暖化を防げる環境親和的な複合冷暖房システムを提供することにある。
【課題を解決するための手段】
【０００８】
上記の目的を達成するために、本発明は、暖房と冷房を行うための圧縮器、四方弁、室内熱交換器、室外熱交換器、膨脹装置及び給湯用熱交換器を冷媒管で連結する熱ポンプシステムと、室内空間を暖房するための暖房水を循環させるための暖房水供給管と暖房水の流れを調節するための暖房水調節弁とを備える床暖房システムと、を含み、前記給湯用熱交換器で暖房水を加熱できるように前記暖房水供給管を前記給湯用熱交換器に連結したことを特徴とする。
【０００９】
前記熱ポンプシステムは自然冷媒を利用し、前記自然冷媒は二酸化炭素である。
【００１０】
前記給湯用熱交換器は、前記圧縮器の吐出側と前記四方弁との間に連結される第１給湯用熱交換器を含む。
【００１１】
前記給湯用熱交換器は、前記四方弁と前記膨脹装置との間に連結された第２給湯用熱交換器をさらに含む。
【００１２】
前記熱ポンプシステムは、前記四方弁と前記第２給湯用熱交換器との間に連結される第１三方弁をさらに含む。
【００１３】
前記第１三方弁は、前記第２給湯用熱交換器で加熱操作を行うことができるように冷媒の流れを案内する。
【００１４】
前記熱ポンプシステムは、前記室内熱交換器と前記膨脹装置との間に連結される第２三方弁をさらに含む。
【００１５】
前記第２三方弁は、前記室内熱交換器で室内の空気暖房または空気冷房を行うことができるように冷媒の流れを案内する。
【００１６】
前記熱ポンプシステムは、前記室外熱交換器と前記膨脹装置との間に連結される第３三方弁をさらに含む。
【００１７】
前記第３三方弁は、前記室内熱交換器で熱交換された空気を利用した室内の空気暖房及び／または前記暖房水を利用した室内の床暖房を行うことができるように冷媒の流れを案内する。
【００１８】
前記第３三方弁は、前記室内熱交換器で熱交換された空気を利用して室内の空気冷房を行う場合、前記膨脹装置を通過した冷媒を前記室内熱交換器に案内する。
【００１９】
前記熱ポンプシステムは、前記四方弁と前記室外熱交換器との間に設けられる第１開閉弁をさらに含む。
【００２０】
室内の空気冷房と室内の床暖房または温水供給を行う場合、前記第１開閉弁は充分な温水供給のために冷媒が室外熱交換器を通過することなく直接前記第２給湯用熱交換器に流れるように案内する。
【００２１】
前記床暖房システムは、前記給湯用熱交換器で加熱された暖房水を再加熱するためのボイラをさらに含む。
【００２２】
前記ボイラは、前記暖房水供給管から分岐されるバイパス管に設けられる。
【００２３】
前記床暖房システムは蓄熱槽及び温水供給管をさらに含む。
【００２４】
前記蓄熱槽は、前記給湯用熱交換器と前記ボイラとの間に設けられ、前記給湯用熱交換器で加熱された暖房水または前記ボイラにより再加熱された暖房水と熱交換して温水を作り、前記温水供給管は、温水を供給する。
【００２５】
前記床暖房システムは、前記蓄熱槽の出口に連結されたポンプをさらに含む。
【００２６】
前記ポンプは、前記蓄熱槽で熱交換された暖房水を前記ボイラの入口または前記室内空間の入口に案内する。
【００２７】
前記蓄熱槽に環収される暖房水の流れを制御するために前記室内空間の出口側の暖房水供給管に設けられる第２開閉弁をさらに含む。
【００２８】
前記床暖房システムは、冷水を供給するための冷水供給管をさらに含み、前記冷水を加熱し暖房水が作られるように前記冷水供給管を前記給湯用熱交換器に連結する。
【００２９】
前記給湯用熱交換器で作られた暖房水を暖房水供給管に案内するための第３開閉弁をさらに含む。
【発明の効果】
【００３０】
本発明に係る複合冷暖房システムは、室内の空気冷房と暖房、室内の床暖房及び温水供給を望むとおりに行うことができ、かつ、深夜に安価な電気を利用して蓄熱槽に温水を貯蔵しておき、室内の床暖房と温水供給とに利用できるので、冷暖房費を節約することができる。
【００３１】
本発明に係る複合冷暖房システムは、熱ポンプシステムにおいて冷房サイクルで運転する場合、第２給湯用熱交換器で室外空気より温度の低い冷水と熱交換が行われ、高圧部の温度が減少するので、冷房サイクルの効率が向上する。
【００３２】
本発明に係る複合冷暖房システムは、暖房容量が足りなくなってもボイラを利用して不足分の容量が補えるので、室外温度の極めて低い酷寒期の暖房にも適している。
【００３３】
本発明に係る複合冷暖房システムは、暖房サイクルから冷房サイクルに転換する場合にも給湯用熱交換器を利用して室内の床暖房を行うことができる。
【００３４】
本発明に係る複合冷暖房システムは、冬には室内の空気暖房及び室内の床暖房を行い、春と秋には冷房と暖房を同時に行い、夏には冷房を行うと同時に、一年中いつでも温水を供給できるなど、様々な形態の運転が可能である。
【発明を実施するための最良の形態】
【００３５】
以下、本発明の好ましい実施例を、添付図面を参照しつつ詳細に説明する。
【００３６】
本発明に係る複合冷暖房システムは、図１に示すように、熱ポンプシステム１００と床暖房システム２００とを備えてなる。
【００３７】
前記熱ポンプシステム１００は、自然冷媒として二酸化炭素(CO2)を使用する。
【００３８】
熱ポンプシステム１００は、冷媒管ＣＬを介して連結された圧縮器１、四方弁２、室内熱交換器５、膨脹装置６及び室外熱交換器７を備える。圧縮器１は容量が可変であるインバータ方式を適用する。圧縮器１の吸入側にはアキュムレータ８が設けられ、室内ファンモータ９及び室外ファンモータ１０は室内熱交換器５及び室外熱交換器７にそれぞれ設けられて熱交換のための送風動作を行う。
【００３９】
また、熱ポンプシステム１００は、第１及び第２給湯用熱交換器３，４を備える。第１給湯用熱交換器３は圧縮器１の吐出側と四方弁２との間に連結され、第２給湯用熱交換器４は四方弁２と膨脹装置６との間に連結される。第２給湯用熱交換器４は室内熱交換器５に並列連結される。
【００４０】
さらに、熱ポンプシステム１００は、冷媒の流れを案内するための弁を備えるが、第２給湯用熱交換器の入口には第１三方弁１１を、室内熱交換器５の出口には第２三方弁１２を設け、膨脹装置６と室外熱交換器７との間には第３三方弁１３を、第２給湯用熱交換器４と室外熱交換器７との間には第１開閉弁１４を設ける。
【００４１】
一方、床暖房システム２００は、室内空間２１の床を暖房する暖房水を循環させるための暖房水供給管Ｌ１と、暖房水の流れを調節するための暖房水調節弁とを備えてなる。
【００４２】
床暖房システム２００は、蓄熱槽２２と温水供給管Ｌ２をさらに備える。
【００４３】
蓄熱槽２２は、第１給湯用熱交換器３で加熱された暖房水によって熱交換された温水を貯蔵しておき、温水供給管Ｌ２に連結された第５開閉弁２９が開くと温水を供給する。
【００４４】
床暖房システム２００は、足りない暖房性能を補うためのボイラ２４をさらに備える。ボイラ２４は、暖房供給管Ｌ１に連結されて暖房水をバイパスするバイパス管Ｌ４に設けられる。
【００４５】
床暖房システム２００は、蓄熱槽２２の出口に連結されたポンプ２３をさらに備える。
【００４６】
暖房水供給管Ｌ１は、第１給湯用熱交換器３と第２給湯用熱交換器４にそれぞれ連結される。暖房水供給管Ｌ１には室内空間の床暖房を済ませた暖房水を取り入れるための第２開閉弁２５を設ける。第２給湯用熱交換器４には冷水を供給する冷水供給管Ｌ３を連結し、該冷水供給管Ｌ３には加熱した冷水の流れを制御するための第３開閉弁２６を連結する。第３開閉弁２６を開くと、第２給湯用熱交換器４で加熱された冷水は第２開閉弁２５から流れている暖房水と合流し第１給湯用熱交換器３に流れる。
【００４７】
また、暖房水供給管Ｌ１には室内空間の床暖房のために暖房水の流れを案内する第４開閉弁２７が設けられる。
【００４８】
バイパス管Ｌ４には、ボイラ２４で加熱された暖房水を蓄熱槽２２または室内空間側にバイパスするとき暖房水の流れを案内する第４三方弁２８を設ける。
【００４９】
以下、上記の構成を有する本発明に係る複合冷暖房システムの動作について説明する。
【００５０】
本発明によれば、熱ポンプシステム１００と床暖房システム２００を利用して室内の空気暖房または冷房、室内の床暖房、及び温水供給を独立的に行うことができ、これらを組み合わせて運転する場合の動作を図２ないし図７に基づき説明する。
【００５１】
図２は、本発明に係る複合冷暖房システムを利用して室内の空気暖房、室内の床暖房及び温水供給を行う動作を示す図である。
【００５２】
まず、圧縮器１で冷媒を圧縮し、圧縮された冷媒は第１給湯用熱交換器３で室内の床暖房と温水供給のために熱交換され暖房水を加熱する。四方弁２を通過した冷媒の一部は第１三方弁１１を経て第２給湯用熱交換器４に分配され、残りの冷媒は室内熱交換器５に分配される。すると、第２給湯用熱交換器４では温水供給のために冷水を加熱し、室内熱交換器５では室内空気の暖房を行う。
【００５３】
第２給湯用熱交換器４を経由した冷媒と室内熱交換器５の出口側の第２三方弁１２を経由した冷媒は、膨脹装置６、第３三方弁１３及び室外熱交換器７を順次通過する。室外熱交換器７を経由した冷媒は四方弁２とアキュムレータ８を通過した後、圧縮器１の吸入側に流入させられる循環を行う。
【００５４】
次に室内の床暖房と温水供給のための床暖房システム２００の動作を説明する。
【００５５】
第２給湯用熱交換器４で冷水を加熱し、加熱された冷水は、第２開閉弁２５から流れている暖房水と合流し第１給湯用熱交換器３に流れる。第１給湯用熱交換器３に流入した暖房水は、蓄熱槽２２、ポンプ２３を経て循環し、このような循環により室内の床暖房がなされる。
【００５６】
また、温水は第５開閉弁２９を通じて供給される。
【００５７】
ところで、温水供給量が足りないか、室内の床暖房に必要な暖房容量を満たしていない場合、つまり、熱ポンプシステム１００から供給可能な暖房容量を超過すると、ボイラ２４が作動する。ボイラ２４の作動により再加熱された暖房水は、第４三方弁２８を経て一部は蓄熱槽２２に送られ、残りは室内の床暖房のために送られる。
【００５８】
図３は、本発明に係る複合冷暖房システムを利用して室内の空気暖房及び室内の床暖房を行う動作を示す図である。
【００５９】
図３に示した複合冷暖房システムでは温水供給を行わないことから第２給湯用熱交換器における加熱操作は省略する。
【００６０】
まず、圧縮器１で冷媒を圧縮し、圧縮された冷媒は第１給湯用熱交換器３で室内の床暖房のために熱交換され暖房水を加熱する。次いで、四方弁２を通過した冷媒が第２給湯用熱交換器４には流れず、室内熱交換器５に流れるように第１三方弁１１を制御する。また、冷水供給を遮断するために第３開閉弁２６を閉じる。
【００６１】
すると、前記室内熱交換器５により室内の空気暖房が行われる。
【００６２】
次いで、室内熱交換器５の出口側の第２三方弁１２を経由した冷媒は、膨脹装置６、第３三方弁１３及び室外熱交換器７を順次通過し、この室外熱交換器７を経由した冷媒は四方弁２とアキュムレータ８を通過した後、圧縮器１の吸入側に流入させられる循環を行う。
【００６３】
次に室内の床暖房のための床暖房システム２００の動作を説明する。
【００６４】
第２開閉弁２５から流れ出る暖房水は第１給湯用熱交換器３に流れる。該第１給湯用熱交換器３に流入した暖房水は、蓄熱槽２２、ポンプ２３を経て循環し、これにより室内の床暖房がなされる。
【００６５】
ところで、室内の床暖房に必要な暖房容量を満たしていない場合、つまり、熱ポンプシステム１００が供給できる容量を超過すると、ボイラ２４が作動する。ボイラ２４の作動により再加熱された暖房水は、第４三方弁２８を経て室内の床暖房のために送られる。
【００６６】
図４は、本発明に係る複合冷暖房システムを利用して室内の空気暖房及び温水供給を行う動作を示す図である。
【００６７】
図４に示した複合冷暖房システムでは、室内の床暖房を行わないことから第２開閉弁２５及び第４開閉弁２７は閉じられる。
【００６８】
まず、圧縮器１で冷媒を圧縮し、圧縮された冷媒は第１給湯用熱交換器３で温水供給のために熱交換され暖房水を加熱する。その後、四方弁２を通過した冷媒の一部は第１三方弁１１を経て第２給湯用熱交換器４に分配され、残りは室内熱交換器５に分配される。すると、第２給湯用熱交換器４では温水供給のために冷水を加熱し、室内熱交換器５では室内の空気暖房を行う。
【００６９】
第２給湯用熱交換器４を経由した冷媒と室内熱交換器５の出口側に設けられた第２三方弁１２を経由した冷媒は、膨脹装置６、第３三方弁１３及び室外熱交換器７を順次通過し、この室外熱交換器７を経由した冷媒は四方弁２とアキュムレータ８を通過した後、圧縮器１の吸入側に流入させられる循環を行う。
【００７０】
次に温水供給のための床暖房システム２００の動作を説明する。
【００７１】
第２給湯用熱交換器４で冷水を加熱し、加熱された冷水は第１給湯用熱交換器３に流れる。該第１給湯用熱交換器３に流入した暖房水は、蓄熱槽２２、ポンプ２３を経由するが、このときポンプ２３によりポンピングされる暖房水はバイパス管Ｌ４を経て蓄熱槽２２に循環する。このように蓄熱槽２２に貯蔵された温水は第５開閉弁２９を通じて供給される。
【００７２】
ところで、温水供給量が足りない場合、つまり、熱ポンプシステム１００が供給可能な容量を超過すると、ボイラ２４が作動する。ボイラ２４の作動により再加熱された暖房水は蓄熱槽２２に送られ、温水の不足分を補う。
【００７３】
図５は、本発明に係る複合冷暖房システムを利用して室内の床暖房及び温水供給を行う動作を示す図である。
【００７４】
図５に示した複合冷暖房システムでは、室内の空気暖房を行わないことから室内熱交換器５における熱交換操作を省略する。
【００７５】
圧縮器１で冷媒を圧縮し、圧縮された冷媒は第１給湯用熱交換器３で室内の床暖房と温水供給のために熱交換され暖房水を加熱する。四方弁２を通過した冷媒は第１三方弁１１を経て第２給湯用熱交換器４に流れる。
【００７６】
第２給湯用熱交換器４では温水供給のために冷水を加熱する。
【００７７】
第２給湯用熱交換器４を経由した冷媒は、膨脹装置６、第３三方弁１３及び室外熱交換器７を順次通過し、該室外熱交換器７を経由した冷媒は四方弁２とアキュムレータ８を通過した後圧縮器１の吸入側に流入させられる循環を行う。
【００７８】
次に室内の床暖房と温水供給のための床暖房システム２００の動作を説明する。
【００７９】
第２給湯用熱交換器４で冷水を加熱し、加熱された冷水は第２開閉弁２５から流れている暖房水と合流し第１給湯用熱交換器３に流れる。該第１給湯用熱交換器３に流入した暖房水は、蓄熱槽２２、ポンプ２３を経て循環し、これにより室内の床暖房がなされる。
【００８０】
また、温水は第５開閉弁２９を通じて供給される。
【００８１】
ところで、温水供給量が足りないか、室内の床暖房に必要な暖房容量を満たしていない場合、つまり、熱ポンプシステム１００が供給可能な容量を超過すると、ボイラ２４が作動する。ボイラ２４の作動により再加熱された暖房水は、第４三方弁２８を経て一部は蓄熱槽２２に送られ、残りは室内の床暖房のために送られる。
【００８２】
図６は、本発明に係る複合冷暖房システムを利用して室内の空気冷房、室内の床暖房及び温水供給を行う動作を示す図である。
【００８３】
まず、圧縮器１で圧縮した冷媒は、第１給湯用熱交換器３で室内の床暖房と温水供給のために熱交換され暖房水を加熱する。四方弁２を通過した冷媒は第１開閉弁１４及び第１三方弁１１を経て第２給湯用熱交換器４に送られる。
【００８４】
第２給湯用熱交換器４では温水供給のために冷水を加熱する。
【００８５】
第２給湯用熱交換器４を経由した冷媒は、膨脹装置６、第２三方弁１２及び室内熱交換器５を順次通過する。このとき室内熱交換器５は蒸発器として作用して室内の空気冷房を行う。
【００８６】
室内熱交換器５を経由した冷媒は、四方弁２とアキュムレータ８を通過した後、圧縮器１の吸入側に流入する。
【００８７】
次に室内の床暖房と温水供給のための床暖房システム２００の動作を説明する。
【００８８】
第２給湯用熱交換器４で冷水を加熱し、加熱した冷水は第２開閉弁２５から流れている暖房水と合流し第１給湯用熱交換器３に流れる。該第１給湯用熱交換器３に流入した暖房水は、蓄熱槽２２、ポンプ２３を経て循環し、これにより室内の床暖房がなされる。
【００８９】
また、温水は第５開閉弁２９を通じて供給される。
【００９０】
ところで、温水供給量が足りないか、室内の床暖房に必要な暖房容量を満たせない場合、つまり、熱ポンプシステム１００が供給可能な容量を超過すると、ボイラ２４が作動する。ボイラ２４の作動により再加熱された暖房水は、第４三方弁２８を経て一部は蓄熱槽２２に送られ、残りは室内の床暖房のために送られる。
【００９１】
図７は、本発明に係る複合冷暖房システムを利用して室内の空気冷房、室内の床暖房及び温水供給を行う動作を示す図であり、図６と比較すると、第１開閉弁１４の代わりに第３三方弁１３を通じて冷媒を第２給湯用熱交換器４に供給することに構成上の相違がある。
【００９２】
圧縮器１で圧縮した冷媒は、第１給湯用熱交換器３で室内の床暖房と温水供給のために熱交換され暖房水を加熱する。その後、四方弁２を通過した冷媒は室外熱交換器７に送られる。室外熱交換器７を通過した冷媒は第３三方弁１３及び第１三方弁１１を経て第２給湯用熱交換器４に送られる。
【００９３】
第２給湯用熱交換器４では温水供給のために冷水が加熱される。
【００９４】
第２給湯用熱交換器４を経由した冷媒は、膨脹装置６、第２三方弁１２及び室内熱交換器５を順次通過する。このとき室内熱交換器５は蒸発器として作用して室内の空気冷房を行う。
【００９５】
室内熱交換器５を経由した冷媒は、四方弁２とアキュムレータ８を通過した後圧縮器の吸入側に流入する。
【００９６】
室内の床暖房と温水供給のための床暖房システム２００の動作は、図６における動作と同様なのでその説明は省略する。
【図面の簡単な説明】
【００９７】
【図１】本発明に係る複合冷暖房システムの構成を示す図である。
【図２】本発明に係る複合冷暖房システムを利用して室内空気暖房、室内の床暖房及び温水供給を行う動作を示す図である。
【図３】本発明に係る複合冷暖房システムを利用して室内の空気暖房及び室内の床暖房を行う動作を示す図である。
【図４】本発明に係る複合冷暖房システムを利用して室内空気暖房及び温水供給を行う動作を示す図である。
【図５】本発明に係る複合冷暖房システムを利用して室内の床暖房及び温水供給を行う動作を示す図である。
【図６】本発明に係る複合冷暖房システムを利用して室内の空気冷房、室内の床暖房及び温水供給を行う動作を示す図である。
【図７】本発明に係る複合冷暖房システムを利用して室内の空気冷房、室内の床暖房及び温水供給を行う動作を示す図である。
【符号の説明】
【００９８】
１  圧縮器
２  四方弁
３  第１給湯用熱交換器
４  第２給湯用熱交換器
５  室内熱交換器
６  膨脹装置
７  室外熱交換器
８  アキュムレータ
９  室内ファンモータ
１０  室外ファンモータ
１１  第１三方弁
１２  第２三方弁
１３  第３三方弁
１４  第１開閉弁
２１  室内空間
２２  蓄熱槽
２３  ポンプ
２４  ボイラ
２５  第２開閉弁
２６  第３開閉弁
２７  第４開閉弁
２８  第４三方弁
２９  第５開閉弁
１００  熱ポンプシステム
２００  床暖房システム
Ｌ１  暖房水供給管
Ｌ２  温水供給管
Ｌ３  冷水供給管
Ｌ４  バイパス管
【図１】
2005195313.tif 000003
【図２】
2005195313.tif 000004
【図３】
2005195313.tif 000005
【図４】
2005195313.tif 000006
【図５】
2005195313.tif 000007
【図６】
2005195313.tif 000008
【図７】
2005195313.tif 000009